(57)【要約】【課題】スイッチによるリンクアップの検索に要する時間を低減する。【解決手段】ネットワークを構成するスイッチ１０はそれぞれ、自身のIFについて、そのIFの接続される合波部１６または分波部１７ごとにまとめたＷＤＭグループを作る。そして、スイッチ１０はそれぞれ、そのＷＤＭグループの中から１つIFを選び、そのIFに対しリンクアップ検索処理を行う。ここで、このＷＤＭグループのIFのリンクアップ検索に成功すると、同じＷＤＭグループの他のIFに対しリンクアップ検索処理を行う。隣接するスイッチ１０同士がこのような処理を、すべてのＷＤＭグループのIFについて実行する。【選択図】図２
2011146818.tif 000002
【特許請求の範囲】
【請求項１】
ＷＤＭ（Wavelength Division Multiplexing）網に接続され、波長ごとに、当該波長の信号を送信するインタフェースと、
１以上の前記インタフェースから出力される波長の多重化信号を、ケーブル経由で出力する合波部と、
ケーブル経由で入力される多重化信号を、波長ごとに分割し、当該波長の前記インタフェース経由でスイッチ部へ出力する分波部と、
前記インタフェースから入力された波長の信号を、前記波長を出力するインタフェースへ出力するスイッチ部とを備えるスイッチであって、
前記分波部および合波部ごとに、当該分波部または合波部に接続されるインタフェースをＷＤＭグループとして示したＷＤＭグループ情報を記憶する記憶部と、
前記インタフェースを選択し、前記スイッチ部を介して、前記選択したインタフェース経由で試験信号を出力する試験信号出力部と、
当該インタフェース経由で、当該他のスイッチからの前記試験信号を受信したとき、前記試験信号を受信したインタフェースの識別情報と、前記試験信号の送信元のスイッチの識別情報と、その試験信号の送信元のインタフェースの識別情報とを対応付けて、前記記憶部のインタフェース情報に記憶するインタフェース情報作成部とを備え、
前記試験信号出力部は、
当該インタフェース経由で、当該他のスイッチからの前記試験信号を受信したとき、前記ＷＤＭグループ情報およびインタフェース情報を参照して、
（１）当該インタフェースと同じＷＤＭグループのインタフェースの中に、前記他のスイッチからの試験信号を受信していないインタフェースがある場合、前記ＷＤＭグループのインタフェースの中から、前記他のスイッチからの試験信号を受信していないインタフェースを選択し、
（２）当該インタフェースと同じＷＤＭグループのインタフェースがすべて前記他のスイッチからの試験信号を受信済みの場合、当該ＷＤＭグループ以外のＷＤＭグループのインタフェースの中から、前記他のスイッチからの試験信号を受信していないインタフェースを選択し、
前記スイッチ部経由で、前記選択したインタフェースで試験信号を出力する処理を、前記ＷＤＭグループ情報に示されるすべてのインタフェースについて実行するまで繰り返すことを特徴とするスイッチ。
【請求項２】
前記試験信号出力部は、
前記分波部および合波部に接続されるインタフェースの中から、最初に選択する前記インタフェースとして、制御波長用インタフェースを選択することを特徴とする請求項１に記載のスイッチ。
【請求項３】
ＷＤＭ（Wavelength Division Multiplexing）網に接続され、波長ごとに、当該波長の信号を送信するインタフェースと、
１以上の前記インタフェースから出力される波長の多重化信号を、ケーブル経由で出力する合波部と、
ケーブル経由で入力される多重化信号を、波長ごとに分割し、当該波長の前記インタフェース経由でスイッチ部へ出力する分波部と、
前記インタフェースから入力された波長の信号を、前記波長を出力するインタフェースへ出力するスイッチ部と、
前記分波部および合波部ごとに、当該分波部または合波部に接続されるインタフェースを示したＷＤＭグループ情報を記憶する記憶部とを備えるスイッチが、
前記インタフェースを選択し、前記スイッチ部を介して、前記選択したインタフェース経由で試験信号を出力するステップと、
当該インタフェース経由で、当該他のスイッチからの前記試験信号を受信したとき、前記試験信号を受信したインタフェースの識別情報と、前記試験信号の送信元のスイッチの識別情報と、その試験信号の送信元のインタフェースの識別情報とを対応付けて、前記記憶部のインタフェース情報に記憶するステップとを実行し、
当該インタフェース経由で、当該他のスイッチからの前記試験信号を受信したとき、前記ＷＤＭグループ情報およびインタフェース情報を参照して、
（１）当該インタフェースと同じＷＤＭグループのインタフェースの中に、前記他のスイッチからの試験信号を受信していないインタフェースがある場合、前記ＷＤＭグループのインタフェースの中から、前記他のスイッチからの試験信号を受信していないインタフェースを選択するステップと、
（２）当該インタフェースと同じＷＤＭグループのインタフェースがすべて前記他のスイッチからの試験信号を受信済みの場合、当該ＷＤＭグループ以外のＷＤＭグループのインタフェースの中から、前記他のスイッチからの試験信号を受信していないインタフェースを選択するステップとを実行し、
前記スイッチ部経由で、前記選択したインタフェース経由で試験信号を出力する処理を、前記ＷＤＭグループ情報に示されるすべてのインタフェースについて実行することを特徴とするインタフェース情報作成方法。
【請求項４】
請求項３に記載のインタフェース情報作成方法を、前記スイッチに実行させるためのプログラム。
【発明の詳細な説明】
【技術分野】
【０００１】
本発明は、WDM（Wavelength Division Multiplexing）ネットワークにおいて各スイッチがインタフェース情報を作成する技術に関する。
【背景技術】
【０００２】
近年、トラヒックが急激に増加し、今後益々その増加は加速するものと思われる。そのため、増加するトラヒックを効率的に収容するための網技術が必要となっている。また、アプリケーションの進化に連れ、動画や音声のup/downloadが盛んになり、ネットワーク回線の高速化が望まれている。光網における伝送技術は、高速大容量伝送を実現できる有望なものである。例えば、WDM技術は、信号を伝送する光の波長を１本の光ファイバに多重して伝送でき、OXC(Optical Cross Connect)やROADM(Reconfigurable Optical Add Drop Multiplexer)等の中継ノードでその波長を分割することにより波長ごとのルーティングを実現する。そのため少ない設備で効率的に大容量トラヒックを伝送可能である。また、光の速度は電気よりも早いため、高速通信も可能である。
【０００３】
光網でトラヒックを伝送するためのプロトコルとして、GMPLS（Generalized Multi-Protocol Label Switching）が普及している。GMPLSは網内装置が自律分散的に必要な情報を広告し、収集できるため、トラヒックを伝送するためのパス設定などが簡単に行える利点がある。しかし、そのために事前に設定すべきパラメータが多いという欠点もある。そこで、網を構築し、サービスを開始するまでの人的稼働を削減するためのプラグアンドプレイ技術が提案されている。ここで、OXCやROADM等のスイッチにおいてプラグアンドプレイ技術を実現する際に、隣接するスイッチとの間でどのIF（インタフェース）に光ファイバ等のリンクが接続されたかを把握する技術として、ランダムサーチがある（非特許文献１参照）。
【先行技術文献】
【非特許文献】
【０００４】
【非特許文献１】清水香里、林理恵、井上一郎、塩本公平、”Plug and Play Techniques for Optical Network Configuration,” 信学技報 vol.109, no.102, NS2009-31~NS2009-42, p45-48, 2009年6月
【発明の概要】
【発明が解決しようとする課題】
【０００５】
ここで、ランダムサーチでは対象となるスイッチ同士が、自身のIFをランダムに選択し、その選択したIFから、隣接するスイッチへのリンクアップ検索用の信号（試験信号）を送信する。そして、その選択したIF経由で、隣接するスイッチからのリンクアップ検索用の信号を受信すると、スイッチは、このIFが隣接するスイッチのIFとリンクにより接続されていると判断する。すなわち、隣接するスイッチ同士がそれぞれ、同じリンクにより接続されるIFを同じタイミングで選択し、リンクアップ検索処理を行えば、このIFに関するリンクアップを確認できる。しかし、タイミングが異なると当該IFのリンクアップを確認できない。よって、この方法では、スイッチのIF数が増加すればするほど、隣接するスイッチ同士で、リンクアップを確認できる確率が小さくなり、スイッチによるリンクアップの検索時間が長くなる、という問題がある。本発明は、前記した問題を解決し、スイッチがリンクアップを検索する際に要する時間を低減することを目的とする。
【課題を解決するための手段】
【０００６】
前記した課題を解決するため、本発明のスイッチは、ＷＤＭ（Wavelength Division Multiplexing）網に接続され、波長ごとに、当該波長の信号を送信するインタフェースと、１以上のインタフェースから出力される波長の多重化信号を、ケーブル経由で出力する合波部と、ケーブル経由で入力される多重化信号を、波長ごとに分割し、当該波長のインタフェース経由でスイッチ部へ出力する分波部と、インタフェースから入力された波長の信号を、波長を出力するインタフェースへ出力するスイッチ部とを備える。このスイッチは、分波部および合波部ごとに、当該分波部または合波部に接続されるインタフェースを示したＷＤＭグループ情報を記憶する。そして、自身のインタフェース群からインタフェースを選択し、スイッチ部を介して、選択したインタフェース経由で試験信号を出力する。そして、当該インタフェース経由で、当該他のスイッチからの試験信号を受信したとき、試験信号を受信したインタフェースの識別情報と、試験信号の送信元のスイッチの識別情報と、その試験信号の送信元のインタフェースの識別情報とを対応付けて、記憶部のインタフェース情報に記憶する。また、スイッチは、当該インタフェース経由で、当該他のスイッチからの試験信号を受信したとき、ＷＤＭグループ情報およびインタフェース情報を参照して、（１）当該インタフェースと同じ分波部または合波部に接続されているインタフェースの中に、他のスイッチからの試験信号を受信していないインタフェースがある場合、他のスイッチからの試験信号を受信していないインタフェースを選択し、（２）当該インタフェースと同じ分波部または合波部に接続されるインタフェースがすべて他のスイッチからの試験信号を受信済みの場合、他のスイッチからの試験信号を受信していないインタフェースを選択し、スイッチ部経由で、選択したインタフェース経由で試験信号を出力する処理を、ＷＤＭグループ情報に示されるすべてのインタフェースについて実行するまで繰り返す。
【０００７】
このようにすることで、隣接するスイッチは互いに、同じ分波部および合波部（同じＷＤＭグループ）に接続するインタフェース（IF）の中からIFを１つ選択し、隣接するスイッチは互いに、そのIFに対し試験信号（リンクアップ検索用の信号）を送信する。そして、スイッチは、そのIF経由で、隣接するスイッチ側からのリンクアップ検索のための信号を受信したとき、その信号を受信したIFの属するＷＤＭグループで、リンクアップ未検索のIFを選択してリンクアップ検索のための信号を送信する。よって、スイッチのすべてのIFの中からランダムに試験信号を送信する場合に比べて、各IFのリンクアップの検索に要する時間を低減できる。
【０００８】
また、本発明は、スイッチの試験信号出力部が、分波部および合波部に接続されるインタフェースの中から、最初に選択するインタフェースとして、制御波長用インタフェースを選択することを特徴とする。
【０００９】
このようにすることで、スイッチは、ＷＤＭグループの中から最初にリンクアップ検索のための信号を送信するIFとして制御波長用IFを選択する。よって、スイッチがＷＤＭグループに関するインタフェース情報を作成するとき、まず最初に、隣接するスイッチの装置ＩＤを記憶することができる。つまり、ＷＤＭグループに属するIFには、制御波長用IFと、データ波長用IFとがあるが、一般的にデータ波長用IFは、装置ＩＤ等の情報は送信されない。一方、制御波長用IFは装置ＩＤを含む情報を送信する。よって、スイッチが、最初に制御波長用IFにより隣接するスイッチの装置ＩＤを含む信号を受信しておけば、その後、データ波長用IFにより送信される信号が、同じ装置ＩＤのスイッチからの信号であることが分かる。例えば、スイッチが、最初に制御波長用IF経由で、装置ＩＤ「１０Ｂ」という情報を含む信号を受信しておけば、その後、データ波長用IF経由で受信した信号が、この装置ＩＤ「１０Ｂ」からの信号であることが分かる。よって、スイッチが、インタフェース情報に、このデータ波長用IF経由で受信した信号に含まれるIFの情報を記憶するとき、この情報を装置ＩＤ「１０Ｂ」のIFの情報として記憶することができる。
【００１０】
また、本発明は、請求項３に記載のインタフェース情報作成方法を、コンピュータであるスイッチに実行させるためのプログラムである。
【００１１】
このようなプログラムによれば、請求項３に記載のインタフェース情報作成方法をコンピュータであるスイッチに実行させることができる。
【発明の効果】
【００１２】
本発明によれば、スイッチがリンクアップを検索する際に要する時間を低減することができる。
【図面の簡単な説明】
【００１３】
【図１】本実施の形態のスイッチの動作概要を概念的に示した図である。
【図２】本実施の形態のスイッチの構成を示した図である。
【図３】図２のスイッチの処理手順を示したフローチャートである。
【発明を実施するための形態】
【００１４】
＜概要＞
本発明の実施の形態を説明する。まず、図１を用いて本実施の形態のスイッチ１０（１０Ａ，１０Ｂ）の処理概要を説明する。ここでは、スイッチ１０Ａ，１０Ｂ間でリンクアップ検索用の信号を送信し、リンクアップを検索する場合を例に説明する。このスイッチ１０は、信号の波長ごとに、IFを備える。そして、入力された信号を所定の装置へ転送するために、この信号を出力するIFを切り替える。なお、以下の説明において、リンクアップを検索するとは、隣接するスイッチ１０とリンク接続されるIFの対向となるIFを検索することをいう。このスイッチ１０は、ＷＤＭ（Wavelength Division Multiplexing）網に接続されるOXCやROADM等である。このスイッチは、入力された信号を所定の装置へ転送するために、この信号の出力するIFを切り替える。また、このスイッチ１０は、波長を束ねた波長多重信号を生成し、目的地側の装置へ転送するための合波部１６（１６Ａ，１６Ｂ）と、入力された波長多重信号を波長ごとに分ける分波部１７（１７Ａ，１７Ｂ）とを備える。この合波部１６および分波部１７は、光ファイバ等のリンクで接続されている。図１において、スイッチ１０Ａにおける合波部１６、スイッチ１０Ｂにおける分波部１７の記載は省略している。
【００１５】
なお、本実施の形態では、同じ合波部１６または分波部１７に接続されるIFを同じWDMグループに属するIFと呼ぶ。また、１つのWDMグループには、実際の信号を運ぶデータ波長用IFと、実際の信号を転送するための制御信号を装置間でやりとりする制御波長用IFとの２種類のIFが存在する。図１には、１つの合波部１６または分波部１７につき、制御波長用IFは１つしか記載していないが、実際には１つに限定しない。なお、制御波長用IFから送信される信号は、その信号の送信元の装置ＩＤと、送信元のIFのＩＤを含む。また、データ波長用IFから送信されるリンクアップ検索用の信号は、送信元のIFのＩＤを含む。また、これらの信号は、送信元のIFの属するＷＤＭグループのＩＤを含んでいてもよい。
【００１６】
まず、スイッチ１０Ａ，１０Ｂは互いに、（１）まだリンクアップしていない（同じリンクにより接続されるIFであることの確認ができていない）IFから、リンクアップを検索する。つまり、まだリンクアップが確認できていないIF（例えば、制御波長用IF）を選択し、その選択したIFにリンクアップ検索用の信号を送信する。そして、（２）スイッチ１０Ａは、このIFのリンクアップの成功後、つまり、このIFにより、隣接するスイッチ１０Ｂから送信されたリンクアップ検索用の信号を受信できたとき、このIFと同じＷＤＭグループの他のIFについて、IFのリンクアップ検索処理を行う。
【００１７】
例えば、スイッチ１０ＡのIFのうち「ｅ」のIFのリンクアップが成功したとき、同じＷＤＭグループの「ｆ」のIF、「ｇ」のIF、「ｈ」のIFそれぞれついて、リンクアップ検索処理を行う。そして、同じＷＤＭグループのすべてのIFがリンクアップに成功すれば、（１）の処理に戻る。つまり、他のＷＤＭグループのIFについてリンクアップ検索処理を行う。このようにして、スイッチ１０Ａの各IFのリンクアップ検索処理を終了すると、例えば、吹き出し１０１に示すようなインタフェース情報１３２を作成する。なお、図１のインタフェース情報１３２における、Local IFは、自身のスイッチ１０のIFを示し、Remote IFは、隣接するスイッチ１０のIFを示す。R-nodeは、隣接するスイッチ１０の装置ＩＤであり、L-WDM Gは、自身のスイッチ１０のＷＤＭグループのＩＤであり、R-WDM Gは、隣接するスイッチ１０のＷＤＭグループのＩＤを示す。
【００１８】
つまり、スイッチ１０ＡのLocal IF「e」にリンク経由で接続される、隣接装置（隣接するスイッチ１０）のIFは「a」であり、Local IF「f」にリンク経由で接続される、隣接装置のIFは「b」であり、Local IF「g」にリンク経由で接続される、隣接装置のIFは「c」であることを示す。なお、これらのIFが接続される、隣接装置の装置ＩＤは「10B」であり、これらのIFの自身のスイッチ１０ＡにおけるＷＤＭグループは「B」であり、隣接装置におけるＷＤＭグループは「D」であることを示す。
【００１９】
このようにスイッチ１０Ａ，１０Ｂは互いに、リンクアップの成功を検出すると、そのリンクアップの成功を検出したIFの属するＷＤＭグループ内の他のIFについて、リンクアップ検索処理を行う。つまり、隣接するスイッチ１０は互いにＷＤＭグループごとのリンクアップ検索処理を行うので、スイッチ１０のIFすべての中からランダムにリンクアップ検索処理を行う場合に比べて、各IFのリンクアップ検索処理に要する時間を低減できる。
【００２０】
＜構成＞
次に、図２を用いてスイッチ１０の構成を説明する。スイッチ１０は、前記したスイッチ部１４と、合波部１６と、分波部１７とをそれぞれ１以上備える。そして、このスイッチ１０は、スイッチ部１４の制御を行う制御部１２と、制御部１２が制御を行うときに参照する各種情報を記憶する記憶部１３とを備える。
【００２１】
制御部１２は、このスイッチ１０が備える専用回路やＣＰＵ（Central Processing Unit）によるプログラム実行処理等により実現される。さらに、記憶部１３は、ＲＡＭ（Random Access Memory）、ＲＯＭ（Read Only Memory）、ＨＤＤ（Hard Disk Drive）、フラッシュメモリ等の記憶媒体から構成される。なお、スイッチ１０をプログラム実行処理により実現する場合、記憶部１３には、このスイッチ１０の機能を実現するためのプログラムが格納される。
【００２２】
制御部１２は、シグナリング部１２１と、情報広告収集部１２２と、スイッチ制御部１２３と、隣接情報交換部１２４とを備える。
【００２３】
シグナリング部１２１は、信号伝送するためのパスを、網内で自律分散的に設定する際に、隣接装置とシグナリングを交換する。シグナリングのプロトコルとしては、例えばRSVP（Resource reSerVation Protocol）がある。
【００２４】
情報広告収集部１２２は、パスを設定する際に必要な情報を網内装置間で広告したり収集したりする。ここで用いるプロトコルとしては、例えば、OSPF（Open Shortest Path First）やBGP（Border Gateway Protocol）がある。
【００２５】
このシグナリング部１２１によるシグナリングの結果や、情報広告収集部１２２により収集された情報（経路情報等）は、データベース１３１に記憶される。これらの情報は、制御部１２がデータを送受信する際に参照される。
【００２６】
隣接情報交換部１２４は、自身のスイッチ１０の各IFが隣接装置のどのIFと接続されているか等の情報を隣接装置と交換する。この情報を交換するためのプロトコルとしては、例えば、LMP(Link Management Protocol)がある。この隣接情報交換部１２４は、インタフェース情報作成部１２４１と、試験信号出力部１２４２とを備える。
【００２７】
インタフェース情報作成部１２４１は、IF経由で、他のスイッチ１０（隣接装置）からの試験信号を受信したとき、この試験信号を受信したIFのＩＤと、この試験信号の送信元のスイッチ１０の装置ＩＤと、その試験信号の送信元のIFのＩＤとを対応付けて、記憶部１３のインタフェース情報１３２（図１参照）に記憶する。なお、このインタフェース情報作成部１２４は、試験信号により、その試験信号の送信元のIFの属するＷＤＭグループのＩＤを受信し、このＷＤＭグループのＩＤをインタフェース情報１３２に記憶するようにしてもよい。
【００２８】
試験信号出力部１２４２は、ＷＤＭグループ情報１３３（後記）およびインタフェース情報１３２を参照して、リンクアップに成功していないIFを選択する。そして、スイッチ制御部１２３およびスイッチ部１４経由で、この選択したIFから試験信号を出力する。ここでのIFの選択は以下のようにして行う。すなわち、試験信号出力部１２４２は、IF経由で隣接装置から試験信号を受信したとき、（１）当該IFの属するＷＤＭグループと同じＷＤＭグループのIFの中に、隣接装置からの試験信号を受信していないIFがある場合、そのIFからIFを選択する。（２）当該IFの属するＷＤＭグループと同じＷＤＭグループのIFがすべて他のスイッチ１０からの試験信号を受信済みの場合、他のＷＤＭグループのIFからIFを選択する。ここで、選択するIFは、例えば、他のＷＤＭグループの制御波長用IFである。そして、試験信号出力部１２４２は、スイッチ部１４経由で、この選択したIFから試験信号を出力する処理を、ＷＤＭグループ情報１３３に示されるすべてのインタフェースについて実行するまで繰り返す。
【００２９】
スイッチ制御部１２３は、対象の信号を適切にスイッチングするための命令をスイッチ部１４に出す。
【００３０】
次に、記憶部１３を説明する。記憶部１３は、データベース１３１、インタフェース情報１３２およびＷＤＭグループ情報１３３を記憶する。
【００３１】
データベース１３１は、前記したとおりシグナリング部１２１によるシグナリングの結果や、情報広告収集部１２２により収集された情報（経路情報等）を記憶する。このデータベース１３１の情報は、制御部１２が他の装置との間に確立したパスを用いて信号を送受信する際に参照される。
【００３２】
インタフェース情報１３２は、隣接装置から試験信号を受信した自身のスイッチ１０のIFのＩＤと、その試験信号の送信元である隣接装置の装置ＩＤと、その隣接装置における試験信号の送信元のIFのＩＤと、そのIFの属するＷＤＭグループのＩＤとを対応付けて示した情報である（図１参照）。このインタフェース情報１３２は、インタフェース情報作成部１２４１により作成される。
【００３３】
ＷＤＭグループ情報１３３は、自身のスイッチ１０の分波部１７または合波部１６に接続されるIFを、同じ分波部１７または合波部１６に接続されるIFについて同じＷＤＭグループのIFとして示した情報である。表１に例示するＷＤＭグループ情報１３３は、IF  ＩＤ「e」、「f」、「g」、「h」はそれぞれＷＤＭグループＩＤ「Ｂ」のＷＤＭグループに属するIFであることを示す。また、このＷＤＭグループ情報１３３は、IFそれぞれが制御波長用IFか、データ波長用IFかを示す情報を含んでいてもよい。このＷＤＭグループ情報１３３は、試験信号出力部１２４２が、リンクアップ検索処理を行うIFを選択する際に参照される。
【００３４】
【表１】
2011146818.tif 000003
【００３５】
＜処理手順＞
次に、図２を参照しつつ、図３を用いて、スイッチ１０の処理手順を説明する。まず、図２のスイッチ１０の試験信号出力部１２４２は、ＷＤＭグループ情報１３３（表１参照）およびインタフェース情報１３２を参照して、リンクアップに成功していないIFを選択する（Ｓ１）。そして、スイッチ制御部１２３およびスイッチ部１４経由で、この選択したIFから試験信号を隣接装置へ送信する（Ｓ２）。ここで、リンクアップに成功すれば（Ｓ３のＹｅｓ）、つまり、隣接装置からの試験信号を、この選択したIF経由で受信できたとき、インタフェース情報作成部１２４１は、このリンクアップに成功したIFの情報をインタフェース情報１３２に記憶する（Ｓ４）。一方、リンクアップに成功しなかった場合（Ｓ３のＮｏ）において、そのIF経由で試験信号を送信しはじめて、まだ所定時間経過していなければ（Ｓ８のＮｏ）、Ｓ２へ戻る。一方、そのIF経由で試験信号を送信しはじめて、所定時間経過していれば（Ｓ８のＹｅｓ）、Ｓ１へ戻り、リンクアップしていない別のIFを選択する。
【００３６】
Ｓ５において、試験信号出力部１２４２は、ＷＤＭグループ情報１３３（表１参照）およびインタフェース情報１３２を参照して、同じＷＤＭグループのIFでリンクアップしていないIFがあれば（Ｓ５のＹｅｓ）、同じＷＤＭグループのIFでまだリンクアップに成功していないIFからIFを選択し（Ｓ６）、Ｓ２へ戻る。
【００３７】
Ｓ５において、試験信号出力部１２４２は、ＷＤＭグループ情報１３３（表１参照）およびインタフェース情報１３２を参照して、同じＷＤＭグループのIFでリンクアップに成功していないIFがなければ（Ｓ５のＮｏ）、リンクアップ検索処理の対象であるすべてのIFについてリンクアップに成功したか否かを判断する（Ｓ７）。ここで、まだ、リンクアップに成功していないIFがあれば（Ｓ７のＮｏ）、Ｓ１へ戻る。一方、リンクアップ検索処理の対象であるすべてのIFについてリンクアップに成功した場合（Ｓ７のＹｅｓ）、処理を終了する。
【００３８】
このようなスイッチ１０は、隣接するスイッチ１０側からの試験信号を受信したとき、その信号を受信したIFの属するＷＤＭグループで、リンクアップに成功していないIFを選択して試験信号を送信する。よって、スイッチ１０のすべてのIFの中からランダムに試験信号を送信する場合に比べて、各IFのリンクアップの検索に要する時間を低減できる。
【００３９】
なお、前記した実施の形態において、スイッチ１０は最初に選択するIFとして、制御波長用IFを選択するようにしてもよい。このようにすることで、スイッチ１０がＷＤＭグループに関するインタフェース情報１３２を作成するとき、まず最初に隣接するスイッチ１０の装置ＩＤを記憶することができる。つまり、合波部１６や分波部１７には、少なくとも１つの制御波長用IFと、データ波長用IFとがあるが、一般的にデータ波長用IFからは、装置ＩＤ等の情報は送信されない。一方、制御波長用IFは装置ＩＤを含む情報を送信する。よって、スイッチ１０が、最初に制御波長用IFにより隣接するスイッチ１０の装置ＩＤを含む信号を受信しておけば、その後、データ波長用IFにより送信される信号が、同じ装置ＩＤのスイッチ１０からの信号であることが分かる。例えば、スイッチ１０が、最初に制御波長用IF経由で、装置ＩＤ「１０Ｂ」という情報を含む信号を受信しておけば、その後、データ波長用IF経由で受信した信号が、この装置ＩＤ「１０Ｂ」からの信号であることが分かる。よって、スイッチ１０が、インタフェース情報１３２に、このデータ波長用IF経由で受信した信号に含まれるIFの情報を記憶するとき、装置ＩＤ「１０Ｂ」のIFの情報として記憶することができる。
【符号の説明】
【００４０】
１０（１０Ａ，１０Ｂ）  スイッチ
１２    制御部
１３    記憶部
１４    スイッチ部
１６    合波部
１７    分波部
１２１  シグナリング部
１２２  情報広告収集部
１２３  スイッチ制御部
１２４  隣接情報交換部
１３１  データベース
１３２  インタフェース情報
１３３  ＷＤＭグループ情報
１２４１  インタフェース情報作成部
１２４２  試験信号出力部
【図１】
2011146818.tif 000004
【図２】
2011146818.tif 000005
【図３】
2011146818.tif 000006